(57)【要約】  プラグインモジュールの電源供給をデジタル放送受信装置やプラグインモジュールの動作要求や動作状態に応じて適宜設定することで、消費電力の効果的な制御、安全な電源オフ、および、ハングアップ状態からの復帰が可能な映像表示システム、表示装置、プラグインモジュールおよびプラグインモジュールの電源制御方法が提供される。デジタル放送受信装置とプラグインモジュールはそれぞれ、お互いの機器を認証する認証部、制御信号を通信するＣＥＣ通信部、映像音声送受信部を有し、デジタル放送受信装置は、プラグインモジュールを機器認証した後に、上記制御信号に基づいてプラグインモジュールに電源を供給するモジュール電源供給部をスタンバイ電源からメイン電源に切り替える。
2009084080.tif 000002
【特許請求の範囲】
【請求項１】
映像を表示する表示装置と、前記表示装置に着脱可能で前記表示装置に映像データを送信するプラグインモジュールとからなる映像表示システムであって、
前記表示装置は、
前記プラグインモジュールの機器認証を行う第１の認証部と、
前記プラグインモジュールと制御信号を送受信する第１の通信部と、
前記プラグインモジュールの映像データを受信する映像データ受信部と、
前記プラグインモジュールの電源供給をスタンバイ電源とメイン電源の２種類に切り替えるモジュール電源供給部と、
前記第１の認証部による認証結果、または、前記制御信号に基づいて前記モジュール電源供給部を制御する第１の制御部とを備え、
前記プラグインモジュールは、
前記表示装置と機器認証を行う第２の認証部と、
前記表示装置と前記制御信号を送受信する第２の通信部と、
前記映像データを送信する映像データ送信部と、
前記第２の認証部による認証結果、または、前記制御信号に基づいて映像データ送信部を制御する第２の制御部とを備え、
前記第１の制御部は、前記第１の認証部で機器認証が成立後、または、前記制御信号に基づいて前記モジュール電源供給部をスタンバイ電源からメイン電源に切り替える制御を行う映像表示システム。
【請求項２】
前記第１の制御部は、前記第１の認証部で機器認証が成立後に、さらに前記プラグインモジュールの操作を受け付けた後に、前記モジュール電源供給部をスタンバイ電源からメイン電源に切り替える制御を行うことを特徴とする請求項１に記載の映像表示システム。
【請求項３】
前記第１の制御部は、前記第１の認証部で機器認証が成立後に、さらに前記第１の通信部が前記第２の通信部から電源オン要求を受信した後に、前記モジュール電源供給部をスタンバイ電源からメイン電源に切り替える制御を行う請求項１に記載の映像表示システム。
【請求項４】
前記第１の制御部は、前記第１の認証部で機器認証が成立後に、さらに前記第１の通信部と前記第２の通信部とでＨＤＣＰ認証が成立のときに、前記映像データ受信部で前記映像データを受信する制御を行う請求項１に記載の映像表示システム。
【請求項５】
前記第１の制御部は、前記第１の認証部で機器認証が不成立のときに、前記モジュール電源供給部のスタンバイ電源をオフに切り替える制御を行う請求項１に記載の映像表示システム。
【請求項６】
前記第１の制御部は、前記第１の通信部から前記第２の通信部へ電源オフ要求を送信する制御を行い、前記第２の通信部が送信する前記プラグインモジュールの終了処理の処理完了通知を前記第１の通信部が受信した後に、前記モジュール電源供給部のメイン電源をオフに切り替える制御を行う請求項１に記載の映像表示システム。
【請求項７】
前記第１の制御部は、前記第１の通信部から前記第２の通信部へ電源オフ要求を送信した後に、さらに終了処理進捗通知要求を送信する制御を行い、前記第２の通信部が送信する前記プラグインモジュールの終了処理完了予定時間を前記第１の通信部が受信したとき、前記終了処理完了予定時間待機する制御を行う請求項１に記載の映像表示システム。
【請求項８】
前記第１の制御部は、前記第１の通信部が前記第２の通信部から電源オフ要求を受信したとき、所定時間遅延させた後に前記モジュール電源供給部のメイン電源をオフに切り替える制御を行う請求項１に記載の映像表示システム。
【請求項９】
前記第１の制御部は、前記第１の通信部が前記第２の通信部からの前記プラグインモジュールの状態通知が所定時間以上受信できないとき、前記プラグインモジュールが異常状態であると判断し、前記モジュール電源供給部のメイン電源を一旦オフに切り替え、その後再びオンに切り替える制御を行う請求項１に記載の映像表示システム。
【請求項１０】
前記表示装置と前記プラグインモジュールとの接続は、
前記機器認証を行う情報の伝送のための機器認証経路と、
前記映像データの伝送のための映像データ経路と、
前記制御信号の伝送のための制御信号経路と、
前記スタンバイ電源供給のためのスタンバイ電源経路と、
前記メイン電源供給のためのメイン電源経路と
を備える請求項１に記載の映像表示システム。
【請求項１１】
前記映像データ経路と前記制御信号経路は、ＨＤＭＩ規格の信号線によって実現される請求項１０に記載の映像表示システム。
【請求項１２】
前記制御信号経路は、ＣＥＣ通信経路線である請求項１１に記載の映像表示システム。
【請求項１３】
映像を表示する表示装置と、前記表示装置に着脱可能で前記表示装置に映像データを送信するプラグインモジュールとからなる映像表示システムであって、
前記表示装置は、
前記プラグインモジュールと制御信号を送受信する第１の通信部と、
前記プラグインモジュールの映像データを受信する映像データ受信部と、
前記プラグインモジュールの電源供給をスタンバイ電源とメイン電源の２種類に切り替えるモジュール電源供給部と、
前記第１の通信部の制御信号に基づいて前記モジュール電源供給部を制御する第１の制御部とを備え、
前記プラグインモジュールは、
前記表示装置と前記制御信号を送受信する第２の通信部と、
前記映像データを送信する映像データ送信部と、
前記制御信号に基づいて映像データ送信部を制御する第２の制御部とを備え、
前記第１の制御部は、前記制御信号に基づいて前記モジュール電源供給部を制御する映像表示システム。
【請求項１４】
前記表示装置は、さらに前記プラグインモジュールと機器認証を行う第１の認証部を備え、
前記プラグインモジュールは、さらに前記表示装置の第１の認証部と通信して機器認証を行う第２の認証部とを備え、
前記第１の制御部は、前記第１および前記第２の認証部での機器認証の結果に基づいて前記モジュール電源供給部を制御する請求項１３に記載の映像表示システム。
【請求項１５】
映像表示システムに用いられる映像データを送信するプラグインモジュールが着脱可能な表示装置であって、
前記プラグインモジュールの機器認証を行う認証部と、
前記プラグインモジュールと制御信号を送受信する通信部と、
前記プラグインモジュールの映像データを受信する映像データ受信部と、
前記プラグインモジュールの電源供給をスタンバイ電源とメイン電源の２種類に切り替えるモジュール電源供給部と、
前記認証部による認証結果、または、前記制御信号に基づいて前記モジュール電源供給部を制御する制御部とを備え、
前記制御部は、前記認証部で機器認証が成立後、または、前記制御信号に基づいて前記モジュール電源供給部をスタンバイ電源からメイン電源に切り替える制御を行う表示装置。
【請求項１６】
前記制御部は、前記認証部で機器認証が成立後に、さらに前記プラグインモジュールの操作を受け付けた後に、前記モジュール電源供給部をスタンバイ電源からメイン電源に切り替える制御を行う請求項１５に記載の表示装置。
【請求項１７】
前記制御部は、前記認証部で機器認証が成立後に、さらに、前記通信部が前記プラグインモジュールから電源オン要求を受信した後に、前記モジュール電源供給部をスタンバイ電源からメイン電源に切り替える制御を行う請求項１５に記載の表示装置。
【請求項１８】
前記制御部は、前記認証部で機器認証が成立後に、さらに前記通信部と前記プラグインモジュールとでＨＤＣＰ認証が成立のときに、前記映像データ受信部で前記映像データを受信する制御を行う請求項１５に記載の表示装置。
【請求項１９】
前記制御部は、前記認証部で機器認証が不成立のときに、前記モジュール電源供給部のスタンバイ電源をオフに切り替える制御を行う請求項１５に記載の表示装置。
【請求項２０】
前記制御部は、前記通信部から前記プラグインモジュールへ電源オフ要求を送信する制御を行い、前記プラグインモジュールが送信する前記プラグインモジュールの終了処理の処理完了通知を前記通信部が受信した後に、前記モジュール電源供給部のメイン電源をオフに切り替える制御を行う請求項１５に記載の表示装置。
【請求項２１】
前記制御部は、前記通信部から前記プラグインモジュールへ電源オフ要求を送信した後に、さらに終了処理進捗通知要求を送信する制御を行い、前記プラグインモジュールが送信する前記プラグインモジュールの終了処理完了予定時間を前記通信部が受信したとき、前記終了処理完了予定時間待機する制御を行う請求項１５に記載の表示装置。
【請求項２２】
前記制御部は、前記通信部が前記プラグインモジュールから電源オフ要求を受信したとき、所定時間遅延させた後に前記モジュール電源供給部のメイン電源をオフに切り替える制御を行う請求項１５に記載の表示装置。
【請求項２３】
前記制御部は、前記通信部が前記プラグインモジュールから前記プラグインモジュールの状態通知が所定時間以上受信できないとき、前記プラグインモジュールが異常状態であると判断し、前記モジュール電源供給部のメイン電源を一旦オフに切り替え、その後再びオンに切り替える制御を行う請求項１５に記載の表示装置。
【請求項２４】
映像表示システムに用いられる表示装置に着脱可能で映像データを送信するプラグインモジュールであって、
前記表示装置と機器認証を行う認証部と、
前記表示装置と前記制御信号を送受信する通信部と、
前記映像データを送信する映像データ送信部と、
前記認証部による認証結果、または、前記制御信号に基づいて前記映像データ送信部を制御する制御部とを備えたプラグインモジュール。
【請求項２５】
前記認証部の認証が成立し、前記表示装置からメイン電源が供給された後に、前記制御部は、前記ＨＤＣＰ認証が成立のときに、前記映像データ送信部から前記映像データを前記表示装置へ送信する請求項２４に記載のプラグインモジュール。
【請求項２６】
映像を表示する表示装置と、前記表示装置に着脱可能で前記表示装置に映像データを送信するプラグインモジュールとからなる映像表示システムにおいて、前記表示装置から前記プラグインモジュールの電源供給を制御するプラグインモジュールの電源制御方法であって、
前記表示装置が前記プラグインモジュールを機器認証するステップと、
前記機器認証が成立後に、前記プラグインモジュールの電源供給をスタンバイ電源からメイン電源に切り替える制御をするステップとを備えるプラグインモジュールの電源制御方法。
【請求項２７】
前記制御をするステップは、前記機器認証が成立後に、さらに前記プラグインモジュールの操作を受け付けた後に、前記プラグインモジュールに供給する電源をスタンバイ電源からメイン電源に切り替える制御を行う請求項２６に記載のプラグインモジュールの電源制御方法。
【請求項２８】
前記制御をするステップは、前記機器認証が成立後に、前記プラグインモジュールから電源オン要求を受信するステップを備え、前記電源オン要求を受信した後に前記プラグインモジュールに供給する電源をスタンバイ電源からメイン電源に切り替える制御を行う請求項２６に記載のプラグインモジュールの電源制御方法。
【請求項２９】
前記制御をするステップは、前記機器認証が成立後に、前記表示装置と前記プラグインモジュールがＨＤＣＰ認証するステップをさらに含み、前記ＨＤＣＰ認証が成立のときに、前記プラグインモジュールからの前記映像データを受信する制御を行う請求項２６に記載のプラグインモジュールの電源制御方法。
【請求項３０】
前記制御をするステップは、前記機器認証が不成立のときに、前記プラグインモジュールに供給するスタンバイ電源をオフに切り替える制御を行う請求項２６に記載のプラグインモジュールの電源制御方法。
【請求項３１】
前記制御するステップは、
前記プラグインモジュールへ電源オフ要求を送信するステップと、前記プラグインモジュールの終了処理の処理完了通知を受信するステップとを備え、
前記処理完了通知を受け取った後に、メイン電源をオフに切り替える制御を行う請求項２６に記載のプラグインモジュールの電源制御方法。
【請求項３２】
前記制御するステップは、
前記プラグインモジュールへ電源オフ要求を送信するステップと、前記電源オフ要求を送信した後に、さらに終了処理進捗通知要求を送信するステップと、
前記プラグインモジュールの終了処理完了予定時間を受信するステップとを備え、
前記受信した終了処理完了予定時間待機する制御を行う請求項２６に記載のプラグインモジュールの電源制御方法。
【請求項３３】
前記制御するステップは、
前記プラグインモジュールから電源オフ要求を受信するステップを備え、
前記電源オフ要求を受信したとき、所定時間遅延させた後に、メイン電源をオフに切り替える制御を行う請求項２６に記載のプラグインモジュールの電源制御方法。
【請求項３４】
前記制御するステップは、
前記プラグインモジュールの状態通知を受信するステップを備え、
前記状態通知を所定時間以上受信できないとき、前記プラグインモジュールが異常状態であると判断し、メイン電源を一旦オフに切り替え、その後再びオンに切り替える制御を行う請求項２６に記載のプラグインモジュールの電源制御方法。
【請求項３５】
映像を表示する表示装置と、前記表示装置に着脱可能で前記表示装置に映像データを送信するプラグインモジュールとからなる映像表示システムにおいて、前記表示装置から前記プラグインモジュールの電源供給を制御するプラグインモジュールの電源制御方法であって、
前記表示装置が前記プラグインモジュールを機器認証するステップと、
前記表示装置が前記プラグインモジュールと制御信号を送受信するステップと、
前記機器認証の成立後に、前記電源供給をスタンバイ電源からメイン電源に切り替える制御をするステップとを備えるプラグインモジュールの電源制御方法。
【発明の詳細な説明】
【技術分野】
【０００１】
本発明は、表示装置に外付け接続され所定の通信機能や情報処理機能を有する外付けのプラグインモジュールを備える映像表示システム、表示装置、プラグインモジュールおよびプラグインモジュールの電源制御方法に関する。
【背景技術】
【０００２】
近年、地上デジタル放送やＢＳデジタル放送に対応したデジタル放送受信装置は、画質の向上や大画面化とともに、その高機能化が急速に進んでいる。代表的なものとして、インターネット接続機能、放送番組表と連動した録画機能、有料放送受信用の解読機能などが挙げられる。【０００３】
一方このような付加機能は、デジタル放送受信装置の本来機能である放送番組の視聴機能に比べるとその技術革新が速い。そのため、比較的長い年月利用可能なデジタル放送受信装置に組み込まれているとその機能の部分が時代遅れ的な状態に陥ってしまう可能性が高い。また当然のことながら、放送受信装置の購入後に実用化された新機能には対応することができない。【０００４】
さらに、そのような付加機能は必ずしも大多数のデジタル放送受信装置の購入者が希望するわけではない。したがって、種々の機能をあらかじめ内蔵させると、その多くの機能が購入者から見て不要なものとなり、結果的に割高な価格の製品を買わざるを得ないことになる。【０００５】
そこで、これらの付加機能についてはデジタル放送受信装置の外付け装置として、追加設置したり、あるいはその外付け装置を更新（買い替え）したりして、その機能を希望する購入者に合わせて提供する形態が望ましい。また、このような外付け装置は、例えば小型化して放送受信装置の背面や側面に機構的に直接着脱できるようにし、さらに電源もデジタル放送受信装置から供給可能な形態とすることも考えられている。こうすることにより、追加の接続配線や電源配線をなくして、美観の維持や利用者の利便性に著しく効果的である。【０００６】
このようにデジタル放送受信装置本体に機構的に装着可能であり、しかも電源を放送受信装置から供給を受ける外付けのプラグインモジュールが開発されつつある。既にインターネット接続機能やそれを用いた動画再生機能を有する外付けモジュール、あるいはハードディスクによる長時間録画機能を有するモジュールの製品化例がある。【０００７】
このプラグインモジュールを効果的に動作させる上で、電源制御が重要な課題となる。すなわち、プラグインモジュールの電源はデジタル放送受信装置から供給するので、連続通電にすると消費電力が大きくなる。特に、複数のプラグインモジュールを装着可能にした場合は消費電力増加が著しい。【０００８】
同時にプラグインモジュールの認証も重要な課題である。プラグインモジュールは着脱可能であるので、それを取り外して不正に使用される可能性がありえる。例えば、内部の構成をそのまま盗用していわゆる海賊版のプラグインモジュールが作成されたり、そのプラグインモジュールが有料サービスを受ける機能を持っている場合には不正に無料使用されたりする可能性がありえる。また、そのプラグインモジュールに利用者の個人情報が蓄積されている場合には、その個人情報流出の恐れもありえる。【０００９】
この問題に対して、主要な機能の動作に入る前にまず機器間で認証を行い、その結果に基づいて電源提供側の機器から電源被提供側の機器への電源供給を制御する方式が提案されている。このような提案は、例えば、特許文献１や特許文献２に開示されている。【００１０】
特許文献１では、パーソナルコンピュータから携帯型オーディオプレーヤにＵＳＢケーブルを介してオーディオデータを転送する際に、まず機器間で認証を行った後、電源供給の制御を行うことが述べられている。認証されなかった携帯型オーディオプレーヤに対しては、それ以降の電源供給が停止されるので、不要な電力消費が発生しないという利点がある。【００１１】
特許文献２では、パーソナルコンピュータとＩＣカードとの接続において、まずＩＣタグ通信で用いられる誘導起電力によりパーソナルコンピュータからＩＣカードに電源供給し、この電源を用いて認証機能を動作させ、正常に認証されるとパーソナルコンピュータからＩＣカードに通常の電気接点経由で電源供給を行うことが述べられている。この提案では、主電源供給の前に認証動作だけでなくＩＣカードの自己診断機能を働かせることもできる。そのため、ＩＣカード内の回路不良などにより主電源接続時に過大電流が流れてパーソナルコンピュータ側の接続インターフェースに損傷を与えることを未然に防止することができる。なお、ＩＣカードへの電源供給は小電力でよいので、誘導起電力による非接触の電源供給が可能である。【００１２】
また、デジタル放送受信装置とその外部に接続される他の映像音響装置との接続に関しては、ＨＤＭＩ（High-Definition  Multimedia  Interface）の規格が存在している。この規格に準拠した方式で、装置間での映像、音声データの伝送、装置間での遠隔、あるいは、連動制御、認証が所定のケーブルで行える。したがって、このような方式はデジタル放送受信装置とプラグインモジュールとの接続においても利用の候補となりえる。【００１３】
上記の特許文献１および特許文献２はそれぞれ情報処理機能装置本体（これらの特許文献ではパーソナルコンピュータ）とそれに接続される機器（特許文献１では携帯型オーディオプレーヤ、特許文献２ではＩＣカード）との間でまず認証を行わせ、その結果に基づいて接続機器への電源供給を制御することを提示している。【００１４】
しかし、特許文献１では、正当な携帯型オーディオプレーヤが接続された際には格段の電源供給制御は行われず、しかも正当な携帯型オーディオプレーヤが接続されるのが大半のケースであるので、電源制御の効果というよりも、単に機器認証動作の確実性を増す効果が主体である。【００１５】
また、特許文献２では、最初の認証段階では小電力の電源供給を行うことでその時間内での消費電力節約や、不良ＩＣカードによる過大電流防止が実現されるが、この場合もカード装着時のわずかな時間だけの電源制御であり、それ以降の長期間は連続通電であるので消費電力に対する効果はほとんどない。また、誘導起電力の送信および受信のために、それぞれの装置にそのための回路を設置しなければならず、コストの負担が発生する。【００１６】
ＨＤＭＩは映像、音声データの伝送や装置間制御には優れた機能を有しているが、元来各装置が個別に電源を持つことを想定しているため、他の装置に対する電源のオンオフ制御は用意されているが、動作状態での節電のための仕組みは用意されていない。また、伝送するコンテンツの著作権管理は行われているが、機器認証は実施されていない。
【特許文献１】特開２００１−２４３７０７号公報
【特許文献２】特開２００６−２９３９４３号公報
【発明の開示】
【００１７】
本発明は上記従来の方式での課題を解決するためになされたものであり、プラグインモジュールの電源供給をデジタル放送受信装置やプラグインモジュールの動作要求や動作状態に応じて適宜設定する。こうすることで、本発明は消費電力の効果的な制御、安全な電源オフ、および、ハングアップ状態からの復帰が可能な映像表示システム、表示装置、プラグインモジュールおよびプラグインモジュールの電源制御方法を提供する。
【００１８】
映像表示システムは、映像を表示する表示装置と、表示装置に着脱可能で前記表示装置に映像データを送信するプラグインモジュールとからなる映像表示システムであって、表示装置は、プラグインモジュールの機器認証を行う第１の認証部と、プラグインモジュールと制御信号を送受信する第１の通信部と、プラグインモジュールの映像データを受信する映像データ受信部と、プラグインモジュールの電源供給をスタンバイ電源とメイン電源の２種類に切り替えるモジュール電源供給部と、第１の認証部による認証結果、または、制御信号に基づいてモジュール電源供給部を制御する第１の制御部とを備え、プラグインモジュールは、表示装置と機器認証を行う第２の認証部と、表示装置と制御信号を送受信する第２の通信部と、映像データを送信する映像データ送信部と、第２の認証部による認証結果、または、制御信号に基づいて映像データ送信部を制御する第２の制御部とを備え、第１の制御部は、第１の認証部で機器認証が成立後、または、制御信号に基づいてモジュール電源供給部をスタンバイ電源からメイン電源に切り替える制御を行う。
【００１９】
映像表示システムは、映像を表示する表示装置と、表示装置に着脱可能で表示装置に映像データを送信するプラグインモジュールとからなる映像表示システムであって、表示装置は、プラグインモジュールと制御信号を送受信する第１の通信部と、プラグインモジュールの映像データを受信する映像データ受信部と、プラグインモジュールの電源供給をスタンバイ電源とメイン電源の２種類に切り替えるモジュール電源供給部と、第１の通信部の制御信号に基づいてモジュール電源供給部を制御する第１の制御部とを備え、プラグインモジュールは、表示装置と制御信号を送受信する第２の通信部と、映像データを送信する映像データ送信部と、制御信号に基づいて映像データ送信部を制御する第２の制御部とを備え、第１の制御部は、制御信号に基づいて前記モジュール電源供給部を制御する。
【００２０】
表示装置は、映像表示システムに用いられる映像データを送信するプラグインモジュールが着脱可能な表示装置であって、プラグインモジュールの機器認証を行う認証部と、プラグインモジュールと制御信号を送受信する通信部と、プラグインモジュールの映像データを受信する映像データ受信部と、プラグインモジュールの電源供給をスタンバイ電源とメイン電源の２種類に切り替えるモジュール電源供給部と、認証部による認証結果、または、制御信号に基づいてモジュール電源供給部を制御する制御部とを備え、制御部は、認証部で機器認証が成立後、または、制御信号に基づいてモジュール電源供給部をスタンバイ電源からメイン電源に切り替える制御を行う。
【００２１】
プラグインモジュールは、映像表示システムに用いられる表示装置に着脱可能で映像データを送信するプラグインモジュールであって、表示装置と機器認証を行う認証部と、表示装置と制御信号を送受信する通信部と、映像データを送信する映像データ送信部と、認証部による認証結果、または、制御信号に基づいて映像データ送信部を制御する制御部とを備える。
【００２２】
電源制御方法は、映像を表示する表示装置と、表示装置に着脱可能で表示装置に映像データを送信するプラグインモジュールとからなる映像表示システムにおいて、表示装置からプラグインモジュールの電源供給を制御するプラグインモジュールの電源制御方法であって、表示装置がプラグインモジュールを機器認証するステップと、機器認証が成立後に、プラグインモジュールの電源供給をスタンバイ電源からメイン電源に切り替える制御をするステップとを備える。
【００２３】
プラグインモジュールの電源制御方法は、映像を表示する表示装置と、表示装置に着脱可能で表示装置に映像データを送信するプラグインモジュールとからなる映像表示システムにおいて、表示装置からプラグインモジュールの電源供給を制御するプラグインモジュールの電源制御方法であって、表示装置がプラグインモジュールを機器認証するステップと、表示装置がプラグインモジュールと制御信号を送受信するステップと、機器認証の成立後に、電源供給をスタンバイ電源からメイン電源に切り替える制御をするステップとを備える。
【図面の簡単な説明】
【００２４】
【図１】図１は本発明を適用する映像表示システムのデジタル放送受信装置とプラグインモジュールの接続状態を示す外観図である。
【図２】図２は本発明の第１の実施の形態における映像表示システムのデジタル放送受信装置とプラグインモジュールのブロック図である。
【図３】図３は本発明の第２の実施の形態における映像表示システムのデジタル放送受信装置とプラグインモジュールのブロック図である。
【図４】図４は本発明の第２の実施の形態における映像表示システムのデジタル放送受信装置とプラグインモジュールとの間で認証成立時に行われる処理フロー図である。
【図５】図５は本発明の第２の実施の形態における映像表示システムのデジタル放送受信装置とプラグインモジュールとの間で認証不成立時に行われる処理フロー図である。
【図６】図６は本発明の第２の実施の形態における映像表示システムのデジタル放送受信装置とプラグインモジュールとの間で認証成立後にプラグインモジュール操作まで待機する処理フロー図である。
【図７】図７は本発明の第２の実施の形態における映像表示システムのデジタル放送受信装置とプラグインモジュールとの間で認証成立後にプラグインモジュールからの電源オン要求まで待機する処理フロー図である。
【図８】図８は本発明の第２の実施の形態における映像表示システムのデジタル放送受信装置からプラグインモジュールへの電源オフ要求時に行われる処理フロー図である。
【図９】図９は本発明の第２の実施の形態における映像表示システムのデジタル放送受信装置からプラグインモジュールへの電源オフ要求時に進捗を監視しながら行われる処理フロー図である。
【図１０】図１０は本発明の第２の実施の形態における映像表示システムのプラグインモジュールからデジタル放送受信装置への電源オフ要求時に行われる処理フロー図である。
【図１１】図１１は本発明の第２の実施の形態における映像表示システムのプラグインモジュールが異常状態で、再起動が必要である時に行われる処理フロー図である。
【符号の説明】
【００２５】
１００，１００Ａ，１００Ｂ    デジタル放送受信装置
１０１    放送受信装置制御部（第１の装置制御部）
１０２    モジュール電源供給部
１０３    認証部（第１の認証部）
２０３    認証部（第２の認証部）
１０４    ＣＥＣ通信部（第２の通信部）
２０４    ＣＥＣ通信部（第２の通信部）
１０５，２０５    映像音声送受信部
１１０    装着スロット
２００，２００Ａ，２００Ｂ    プラグインモジュール
２０１    モジュール制御部（第２の装置制御部）
３００Ａ，３００Ｂ    モジュール接続線
３０１    メイン電源供給線
３０２    スタンバイ電源供給線
３０３    認証用セキュア通信線
４００    ＨＤＭＩ線
４０１    ＣＥＣ信号線
４０２    映像音声データ線
【発明を実施するための最良の形態】
【００２６】
以下、本発明を実施するための実施の形態について、図面を参照しながら説明する。【００２７】
図１は本発明を適用する映像表示システムのデジタル放送受信装置とプラグインモジュールの接続状態を示す外観図である。デジタル放送受信装置１００は、テレビ放送などの映像を表示する表示装置であり、例えば、液晶テレビやプラズマテレビである。図１ではデジタル放送受信装置１００の背面が描かれている。デジタル放送受信装置１００は、背面に装着スロット１１０を備えており、装着スロット１１０にプラグインモジュール２００が装着される。装着スロット１１０とプラグインモジュール２００は、制御信号の授受や電源の供給を行うためのモジュール接続線とＨＤＭＩ線で接続される。なお、制御信号の授受は電気接点による接続に代えて、光ファイバによる接続、あるいは無線、電磁誘導、光通信などの手段によって接点のない空間結合による接続も可能である。【００２８】
（第１の実施の形態）
図２は本発明の第１の実施の形態における映像表示システムのデジタル放送受信装置とプラグインモジュールのブロック図である。図２ではデジタル放送受信装置１００Ａと、プラグインモジュール２００Ａと、デジタル放送受信装置１００Ａとプラグインモジュール２００Ａとを接続するモジュール接続線３００ＡとＨＤＭＩ線４００を示しており、それぞれの接続機能に関する部分の構成および両者間の接続線を示している。なお以降は、デジタル放送受信装置１００Ａは代表的な例であるデジタルテレビジョン放送を受信、復調、表示するテレビ受信機である場合について説明する。【００２９】
デジタル放送受信装置１００Ａとプラグインモジュール２００Ａとの間での映像音声データの送受信および両者間の制御は接続線であるＨＤＭＩ線４００を介して行われる。すでに、ＨＤＭＩ線４００やこのＨＤＭＩ線４００に対応したテレビ受信機や映像関連製品が普及している。ＨＤＭＩ線４００には制御用のＣＥＣ信号線４０１と、映像音声データ線４０２が含まれる。【００３０】
デジタル放送受信装置１００Ａの制御を行う放送受信装置制御部（以下、「装置制御部」と略記する）１０１とモジュール制御部２０１との間の通信は、ＣＥＣ通信部１０４、ＣＥＣ通信部２０４、およびＣＥＣ信号線４０１によって行われる。装置制御部１０１は第１の制御部の１例である。モジュール制御部２０１は、プラグインモジュール２００Ａの制御を行う第２の制御部の１例である。ＣＥＣ通信部１０４は第１の通信部の１例であり、ＣＥＣ通信部２０４は第２の通信部の１例である。ＣＥＣ信号線４０１はＣＥＣ通信部１０４とＣＥＣ通信部２０４を接続する。【００３１】
デジタル放送受信装置１００Ａとプラグインモジュール２００Ａとの間での映像音声データの送受信は、それぞれの内部に設置された映像音声送受信部１０５、映像音声送受信部２０５、および映像音声データ線４０２によって行われる。映像音声送受信部１０５は映像データ受信部の１例であり、映像音声送受信部２０５は映像データ送信部の１例である。映像音声データ線４０２は映像音声送受信部１０５と映像音声送受信部２０５を接続する。【００３２】
ここで、プラグインモジュール２００Ａがデジタル放送受信モジュールの場合は、映像データ等はプラグインモジュール２００Ａ側からデジタル放送受信装置１００Ａ側へ送られる。プラグインモジュール２００Ａが、例えば、ハードディスク記録モジュールのような場合には、映像データ等はデジタル放送受信装置１００Ａ側からプラグインモジュール２００Ａ側へ送られる。【００３３】
次にデジタル放送受信装置１００Ａ内の装置制御部１０１はモジュール電源供給部１０２を制御して、モジュール接続線３００Ａ内のメイン電源供給線３０１およびスタンバイ電源供給線３０２を介して、プラグインモジュール２００Ａに電源供給を行う。デジタル放送受信装置１００Ａの電源が投入されると、装置制御部１０１はモジュール電源供給部１０２のスタンバイ電源をオンする。スタンバイ電源供給線３０２による電源供給は図２に示すように、制御信号の処理や送受信に携わるＣＥＣ通信部２０４に対して行われる。この状態でＣＥＣ通信部１０４とＣＥＣ通信部２０４の間で制御信号の通信が可能となる。【００３４】
その後、装置制御部１０１はプラグインモジュール２００Ａ内のモジュール制御部２０１からＣＥＣ通信部１０４およびＣＥＣ通信部２０４を介して制御信号を受け取る。この制御信号に基づいてモジュール電源供給部１０２はスタンバイ電源からメイン電源に切り替えられる。一般的に、プラグインモジュール２００Ａのメイン電源での動作時が数１０ワット程度の消費電力であるのに対し、スタンバイ電力は数ワット以下の水準である。その理由は、上述したように、スタンバイ電源供給線３０２による電源供給はＣＥＣ通信部２０４を含むスタンバイ機能の回路のみに供給される。これに対して、メイン電源供給線３０１による電源供給はＣＥＣ通信部２０４を含む全ての部分に対するものであり、映像音声送受信部２０５などの主要機能のための電力であるからである。【００３５】
このように、デジタル放送受信装置１００Ａの電源が投入されたときに、プラグインモジュール２００Ａに対して自動的にメイン電源を供給するのではなく、必要な場合にのみメイン電源を供給することにより消費電力の削減が可能となる。ここで、上記必要な場合とは、外部からプラグインモジュール２００Ａに関する操作を受け取った場合や、プラグインモジュール２００Ａが自身の状態を判断してメイン電源を必要とする場合などである。なお、このメイン電源供給線３０１が電源供給している場合は、ＣＥＣ通信部２０４もメイン電源で動作させることができるので、スタンバイ電源供給線３０２からの電源供給を停止することも可能である。一般的に、スタンバイ電源の回路は数ワット程度の小さな電力を作り出すため電力効率が悪く、ロスの割合が大きくなる。それに比べてメイン電源の回路は電力効率がよく、ロスが少ないので、スタンバイ機能の回路に対してもメイン電源から電力を供給することでさらに消費電力の削減が可能となる。【００３６】
（第２の実施の形態）
図３は本発明の第２の実施の形態における映像表示システムのデジタル放送受信装置とプラグインモジュールのブロック図である。図３では図２に示した構成に、認証機能のための機能ブロックと信号線を付加した場合の構成を示している。プラグインモジュール２００Ｂの認証を行うために、デジタル放送受信装置１００Ｂとプラグインモジュール２００Ｂの内部にそれぞれ認証部１０３、認証部２０３が設置され、モジュール接続線３００Ｂ内に設けられた暗号処理などが施された認証用セキュア通信線３０３を介して機器認証が行われる。【００３７】
認証部１０３は機器認証用の第１の認証部の１例である。認証部２０３は機器認証用の第２の認証部の１例である。なお、ＨＤＭＩにも認証機能が含まれるが、これはコピー制御用の限定されたＨＤＣＰ（High-bandwidth  Digital  Content  Protection  system）認証である。したがって、ＨＤＭＩはプラグインモジュール２００Ｂ自体の機器認証とは目的が異なる。また認証部２０３はＣＥＣ通信部２０４と同様にスタンバイ電源が供給される。【００３８】
次に、この図３の構成の場合を例にとって、デジタル放送受信装置１００Ｂとプラグインモジュール２００Ｂとのいくつかの動作において、どのように電源が制御されるかを両者間の制御信号の流れと電源制御の内容を図示して説明する。【００３９】
図４は本発明の第２の実施の形態における映像表示システムのデジタル放送受信装置とプラグインモジュールとの間で認証成立時に行われる処理フロー図である。図５は本発明の第２の実施の形態における映像表示システムのデジタル放送受信装置とプラグインモジュールとの間で認証不成立時に行われる処理フロー図である。図４、図５はデジタル放送受信装置１００Ｂにプラグインモジュール２００Ｂが装着された直後、あるいは、プラグインモジュール２００Ｂが装着されているデジタル放送受信装置１００Ｂの起動直後の認証動作における認証用信号の流れと電源制御の様子を示す。以下、図中の実線の矢印線は制御信号の流れ、点線の矢印線は電源等の実際の制御を示すものとする。【００４０】
図４においては、まずデジタル放送受信装置１００Ｂの電源が投入されると、装置制御部１０１がモジュール電源供給部１０２を制御してプラグインモジュール２００Ｂに対してスタンバイ電源を供給する(ステップＳ５０１)。【００４１】
引き続き装置制御部１０１は、認証部１０３を介して認証部２０３に認証問い合わせを実行する（ステップＳ５０２）。認証部２０３から認証応答があって認証が成立すると、装置制御部１０１は直ちにモジュール電源供給部１０２からプラグインモジュール２００Ｂにメイン電源を供給させる（ステップＳ５０３）。メイン電源が供給されるとプラグインモジュール２００Ｂのモジュール制御部２０１やＲＯＭ等（図示せず）に実装されているモジュールソフトが起動する。【００４２】
この後、装置制御部１０１は、ＨＤＭＩが標準でサポートしているＨＤＣＰ等に基づくＨＤＭＩ認証をさらに実行する（ステップＳ５２０）。ＨＤＭＩ認証が成立すれば、この時点で初めてプラグインモジュール２００Ｂのモジュール制御部２０１に映像データをデジタル放送受信装置１００Ｂに送信するように装置制御部１０１が指示する。この指示を受けて、モジュール制御部２０１は、映像音声送受信部２０５から映像音声データを映像音声データ線４０２を介して、デジタル放送受信装置１００Ｂに送出する。そうして、放送受信装置１００Ｂの映像音声送受信部１０５が受けた映像音声データを装置制御部１０１は表示画面に映像表示（出画）させるなどの動作を行う（ステップＳ５２１）。このＨＤＭＩ認証の部分については、詳細な説明は省略する。【００４３】
前述したように、このとき、もともとスタンバイ電源が電源供給していた機能ブロックも含めてメイン電源が電源供給する場合は、スタンバイ電源の供給継続は不要となるので、スタンバイ電源オフの処理が最後に追加されることになる。この図４、および以降の図ではスタンバイ電源オフの動作を記入しないが、そのような場合も含まれるものとする。【００４４】
図５はステップＳ５０２で認証が不成立であった場合を示す。正しく認証されないプラグインモジュール２００Ｂに対してはスタンバイ電源を継続供給する必要がない。したがって、装置制御部１０１はモジュール電源供給部１０２が直ちにスタンバイ電源オフになるよう制御する（ステップＳ５０４）。【００４５】
図６は本発明の第２の実施の形態における映像表示システムのデジタル放送受信装置とプラグインモジュールとの間で認証成立後に、プラグインモジュール操作時まで待機する処理フロー図である。すなわち図６は、ステップＳ５０２で認証が成立しても、装置制御部１０１がモジュール電源供給部１０２を直ちにメイン電源オンとしない場合を示す。デジタル放送受信装置１００Ｂに対して行われる種々の操作のうち、プラグインモジュール２００Ｂの機能に関係のないものが何度行われても、装置制御部１０１は対応しない。そして、プラグインモジュール２００Ｂの機能に関係する操作が行われた場合にのみ、装置制御部１０１が反応してモジュール電源供給部１０２を直ちにメイン電源オンとする（ステップＳ５０３）。【００４６】
操作に対する対応や、操作の中からメイン電源オンの制御に反映されるものを選択する機能は、図３における装置制御部１０１によって実現される。これにより、必要なときだけにプラグインモジュール２００Ｂにメイン電源を供給する効率的な電源制御が行える。なお、上記の操作はデジタル放送受信装置１００Ｂの本体上の操作キーを用いて行われるものだけでない。上記の操作は付属のリモートコントローラを用いて行われるもの、あるいは有線、無線で接続された他の装置から遠隔で行われるものも含まれる。【００４７】
図７は本発明の第２の実施の形態における映像表示システムのデジタル放送受信装置とプラグインモジュールとの間で認証成立後に、プラグインモジュールからの電源オン要求まで待機する処理フロー図である。図７も図６の場合同様に、ステップＳ５０２で認証が成立しても装置制御部１０１はモジュール電源供給部１０２を直ちにメイン電源オンとせず必要となるまで待機する場合を示す。プラグインモジュール２００Ｂのモジュール制御部２０１がＣＥＣ通信部２０４を介してデジタル放送受信装置１００ＢのＣＥＣ通信部１０４に対して、電源オン要求をＣＥＣ信号線４０１で送る（ステップＳ５０５）。その電源オン要求をデジタル放送受信装置１００Ｂの装置制御部１０１が受け取り、モジュール電源供給部１０２を直ちにメイン電源オンとする（ステップＳ５０３）。この場合も必要なときだけにプラグインモジュール２００Ｂにメイン電源を供給する効率的な電源制御が行える。【００４８】
プラグインモジュール２００Ｂ側より電源オン要求を出す例としては、プラグインモジュール２００Ｂに視聴予約や録画予約の機能がある場合、予約時刻になって映像音声データの送出やハードディスクなどの記録部の起動が必要となる場合がある。あるいはプラグインモジュール２００Ｂ自体の動作用のソフトウェア（ファームウェア）を放送信号やネットワークから指定の時刻にダウンロードされる運用になっていて、その指定時刻に受信機能を起動させなければならない場合などが挙げられる。【００４９】
さらには、付属のリモートコントローラを用いて操作される場合に、リモートコントローラからの制御信号の受信部（赤外線を利用する場合は受光部）がデジタル放送受信装置１００Ｂ側ではなく、プラグインモジュール２００Ｂ側に実装されている場合も考えられる。この場合は、プラグインモジュール２００Ｂ側の受信部で受信した制御信号をモジュール制御部２０１で受け取り、ＣＥＣ通信部２０４およびＣＥＣ通信部１０４を介して装置制御部１０１に伝送する。そして、上記操作がプラグインモジュール２００Ｂに関係する操作と判断されたら、モジュール制御部２０１は装置制御部１０１にプラグインモジュール２００Ｂのメイン電源をオンするように指示を出す。【００５０】
図８は本発明の第２の実施の形態における映像表示システムのデジタル放送受信装置からプラグインモジュールへの電源オフ要求時に行われる処理フロー図である。図８はデジタル放送受信装置１００Ｂがプラグインモジュール２００Ｂへのメイン電源の供給を停止する場合の制御信号の流れと電源制御の様子を示す。デジタル放送受信装置１００Ｂは、いきなりメイン電源の供給を停止するのではなく、まず装置制御部１０１が、ＣＥＣ通信部１０４を介してプラグインモジュール２００ＢのＣＥＣ通信部２０４に対し電源オフ要求を送出する（ステップＳ５０６）。プラグインモジュール２００Ｂは、この電源オフ要求を受け取った後、内部の終了処理に入る。終了処理としては、内部ソフトウェアが正常に終了するための処理、メモリの読み書き終了処理、最新の電子番組表の取得、ソフトウェアダウンロード、あるいはハードディスクなどの記録部を内蔵している場合は機構的保護処理などが挙げられる。【００５１】
以上のプラグインモジュール２００Ｂの処理を無事に完了した後に、モジュール制御部２０１がＣＥＣ通信部２０４から終了処理の処理完了通知をデジタル放送受信装置１００のＣＥＣ通信部１０４に向けて送信する（ステップＳ５０７）。デジタル放送受信装置１００Ｂの装置制御部１０１は処理完了通知を受け取った後、直ちにモジュール電源供給部１０２のメイン電源の供給を停止させる（ステップＳ５０８）。【００５２】
図９は本発明の第２の実施の形態における映像表示システムのデジタル放送受信装置からプラグインモジュールへの電源オフ要求時に進捗を監視しながら行われる処理フロー図である。図９は、図８の場合同様に、デジタル放送受信装置１００Ｂがプラグインモジュール２００Ｂへのメイン電源の供給を停止する場合の制御信号の流れと電源制御の様子を示す。図９に示す処理フローが図８の処理フローと異なる点は、装置制御部１０１がモジュール制御部２０１からの終了処理の処理完了通知を待つ間に、終了処理進捗要求を送信することである。すなわち、デジタル放送受信装置１００ＢはステップＳ５０６で電源オフ要求を送信したのに引き続き、プラグインモジュール２００Ｂに対し終了処理進捗通知要求を送信する（ステップＳ５０９）。【００５３】
プラグインモジュール２００Ｂのモジュール制御部２０１はこの進捗通知要求に対し、終了処理完了予定時間を回答する（ステップＳ５１０）。例えばその回答内容が「Ｔａ分後」であれば、デジタル放送受信装置１００Ｂの装置制御部１０１はＴａ分後に再度プラグインモジュール２００Ｂのモジュール制御部２０１に対し終了処理進捗通知要求を送信する（ステップＳ５０９）。これに対しこの時点でまだ処理時間を要する場合は、プラグインモジュール２００Ｂのモジュール制御部２０１は再度ステップＳ５１０で終了処理完了予定時間を回答する。例えば、その回答内容が「Ｔｂ分後」であれば、デジタル放送受信装置１００Ｂの装置制御部１０１はＴｂ分後に再度ステップ５１０でプラグインモジュール２００のモジュール制御部２０１に対し終了処理進捗通知要求を送信する。この時点で終了処理が完了していれば、プラグインモジュール２００Ｂのモジュール制御部２０１は図８の場合と同様にステップＳ５０７で終了処理完了通知を送信する。そうして、デジタル放送受信装置１００Ｂの装置制御部１０１が終了処理完了通知を受け取った後、直ちにモジュール電源供給部１０２のメイン電源の供給を停止させる（ステップＳ５０８）。【００５４】
上記の進捗確認動作は、プラグインモジュール２００Ｂの不調により、デジタル放送受信装置１００Ｂが限りなく長い時間待機してしまうのを防止できる利点がある。またその終了予定時間を画面表示することにより、視聴者に対して動作進捗状況を提示できるので、待ち時間を長く感じずに済む親切機能となる。【００５５】
図１０は本発明の第２の実施の形態における映像表示システムのプラグインモジュールからデジタル放送受信装置への電源オフ要求時行われる処理フロー図である。図１０はプラグインモジュール２００Ｂ側から電源オフ要求を出す場合の制御信号の流れと電源制御の様子を示す。プラグインモジュール２００Ｂのモジュール制御部２０１がＣＥＣ通信部２０４を介して送信した電源オフ要求をＣＥＣ通信部１０４が受け取る（ステップＳ５１１）。そうして、デジタル放送受信装置１００Ｂの装置制御部１０１はあらかじめ設定した遅延時間の後、モジュール電源供給部１０２のメイン電源の供給を停止する（ステップＳ５０８）。プラグインモジュール２００Ｂのモジュール制御部２０１は電源オフ要求を送信するまでに、必要な終了処理を終えているものと想定される。しかし、種々のプラグインモジュールにおける仕様の多様性を考慮して余裕を持たせるために、一定の遅延時間後にメイン電源の供給を停止するのが適切である。プラグインモジュール２００Ｂ内のソフトウェアの終了処理を想定するだけでよいのであれば、上記の遅延時間は数秒程度で十分である。【００５６】
なお、プラグインモジュール２００Ｂ側から電源オフ要求を出す場合の具体例としては、プラグインモジュール２００Ｂが再起動を必要とする状況であることを自ら検出し、一旦メイン電源の供給停止が必要となる場合が挙げられる。プラグインモジュール２００Ｂの構成によっては、スタンバイ電源の供給停止も必要となる場合もある。【００５７】
図１１は本発明の第２の実施の形態における映像表示システムのプラグインモジュールが異常状態で、再起動が必要である時に行われる処理フロー図である。図１１は、プラグインモジュール２００Ｂが再起動を必要とする異常状況であることをデジタル放送受信装置１００Ｂ側が検出して、メイン電源の供給を停止する場合の制御信号の流れと電源制御の様子を示す。プラグインモジュール２００Ｂのモジュール制御部２０１がＣＥＣ通信部２０４から所定時間間隔ごとに自らのモジュールが正常に動作していることの状態通知の発送をデジタル放送受信装置１００ＢのＣＥＣ通信部１０４へ繰り返す（ステップＳ５１２）。デジタル放送受信装置１００Ｂの装置制御部１０１はこの状態通知の受取りによって、プラグインモジュール２００Ｂの正常動作を検出する。状態通知が所定の待機時間以上にわたって受け取れないとき、装置制御部１０１はプラグインモジュール２００Ｂがいわゆるハングアップ状態などの異常状態であると判定する。そうして、装置制御部１０１はプラグインモジュール２００Ｂの再起動のためにモジュール電源供給部１０２のメイン電源の供給を一旦停止する（ステップＳ５０８）。装置制御部１０１は、その２〜５秒後に再びモジュール電源供給部１０２のメイン電源の供給を開始する（ステップＳ５０３）。これにより、ハングアップしたプラグインモジュール２００Ｂを自動的に再起動させることが可能になる。【００５８】
以上説明したように本発明によれば、デジタル放送受信装置１００、１００Ａ、１００Ｂに外付け接続され、所定の通信機能や情報処理機能を有する外付けのプラグインモジュール２００、２００Ａ、２００Ｂを備える映像表示システムにおいて、スタンバイ電源とメイン電源の供給切替え動作を効果的に制御させることができる。これにより、プラグインモジュール２００、２００Ａ、２００Ｂに供給する電力を効率的に節約することが可能となる。また、プラグインモジュール２００、２００Ａ、２００Ｂへの電源供給を停止する際に、プラグインモジュール２００、２００Ａ、２００Ｂ側の終了処理完了の通知を待って電源供給を停止するので、安全な電源停止を行うことができる。さらに、プラグインモジュール２００、２００Ａ、２００Ｂのハングアップを検出し、メイン電源の供給停止および再供給によって自動的に再起動させることが可能となる。【００５９】
また本発明は、既に広く利用されているＨＤＭＩ接続機能に、電源供給のための接続線、あるいは更に認証用信号授受のための接続線を用意するだけでよく、追加するソフトウェアも上記実施の形態で説明した程度の簡単な処理手順でよい。【００６０】
さらに、今後デジタル放送受信装置の多機能化を実現するために、種々の外付けプラグインモジュールが商品化されることが予想されるので、本発明はますます有用なものとなる。【００６１】
なお、上記実施の形態では、デジタル放送受信装置１００、１００Ａ、１００Ｂの電源が起動されるときに装置制御部１０１がモジュール電源供給部１０２のスタンバイ電源をオンとし、その後に機器認証を行うとして説明した。しかしながら、デジタル放送受信装置１００、１００Ａ、１００Ｂの電源がオンの状態で、プラグインモジュール２００、２００Ａ、２００Ｂを抜き差しした場合にも、装置制御部１０１はＣＥＣ通信部１０４、２０４を介してプラグインモジュールの装着２００、２００Ａ、２００Ｂを検出し、その後に機器認証を行うようにしてもよい。【００６２】
以上の説明から明らかなように、本発明によれば、プラグインモジュールの電源供給をデジタル放送受信装置やプラグインモジュールの動作要求や動作状態に応じて適宜設定することができる。そうすることで、消費電力の効率的な制御、安全な電源オフ、およびハングアップ状態からの復帰が可能な映像表示システム、表示装置、プラグインモジュールおよびプラグインモジュールの電源制御方法を提供することができる。
【産業上の利用可能性】
【００６３】
本発明は、デジタル放送受信装置に外付け接続され、所定の通信機能や情報処理機能を有する外付けのプラグインモジュールを備える映像表示システムにおいて、プラグインモジュールの電源制御を有効に行うものであり、プラグインモジュールを装着する映像表示システムに広く適用可能である。
【図１】
2009084080.tif 000003
【図２】
2009084080.tif 000004
【図３】
2009084080.tif 000005
【図４】
2009084080.tif 000006
【図５】
2009084080.tif 000007
【図６】
2009084080.tif 000008
【図７】
2009084080.tif 000009
【図８】
2009084080.tif 000010
【図９】
2009084080.tif 000011
【図１０】
2009084080.tif 000012
【図１１】
2009084080.tif 000013
【手続補正書】
【提出日】平成22年2月9日(2010.2.9)
【手続補正１】
【補正対象書類名】明細書
【補正対象項目名】全文
【補正方法】変更
【補正の内容】
【発明の詳細な説明】
【技術分野】
【０００１】
本発明は、表示装置に外付け接続され所定の通信機能や情報処理機能を有する外付けのプラグインモジュールを備える映像表示システム、表示装置、プラグインモジュールおよびプラグインモジュールの電源制御方法に関する。
【背景技術】
【０００２】
近年、地上デジタル放送やＢＳデジタル放送に対応したデジタル放送受信装置は、画質の向上や大画面化とともに、その高機能化が急速に進んでいる。代表的なものとして、インターネット接続機能、放送番組表と連動した録画機能、有料放送受信用の解読機能などが挙げられる。
【０００３】
一方このような付加機能は、デジタル放送受信装置の本来機能である放送番組の視聴機能に比べるとその技術革新が速い。そのため、比較的長い年月利用可能なデジタル放送受信装置に組み込まれているとその機能の部分が時代遅れ的な状態に陥ってしまう可能性が高い。また当然のことながら、放送受信装置の購入後に実用化された新機能には対応することができない。
【０００４】
さらに、そのような付加機能は必ずしも大多数のデジタル放送受信装置の購入者が希望するわけではない。したがって、種々の機能をあらかじめ内蔵させると、その多くの機能が購入者から見て不要なものとなり、結果的に割高な価格の製品を買わざるを得ないことになる。
【０００５】
そこで、これらの付加機能についてはデジタル放送受信装置の外付け装置として、追加設置したり、あるいはその外付け装置を更新（買い替え）したりして、その機能を希望する購入者に合わせて提供する形態が望ましい。また、このような外付け装置は、例えば小型化して放送受信装置の背面や側面に機構的に直接着脱できるようにし、さらに電源もデジタル放送受信装置から供給可能な形態とすることも考えられている。こうすることにより、追加の接続配線や電源配線をなくして、美観の維持や利用者の利便性に著しく効果的である。
【０００６】
このようにデジタル放送受信装置本体に機構的に装着可能であり、しかも電源を放送受信装置から供給を受ける外付けのプラグインモジュールが開発されつつある。既にインターネット接続機能やそれを用いた動画再生機能を有する外付けモジュール、あるいはハードディスクによる長時間録画機能を有するモジュールの製品化例がある。
【０００７】
このプラグインモジュールを効果的に動作させる上で、電源制御が重要な課題となる。すなわち、プラグインモジュールの電源はデジタル放送受信装置から供給するので、連続通電にすると消費電力が大きくなる。特に、複数のプラグインモジュールを装着可能にした場合は消費電力増加が著しい。
【０００８】
同時にプラグインモジュールの認証も重要な課題である。プラグインモジュールは着脱可能であるので、それを取り外して不正に使用される可能性がありえる。例えば、内部の構成をそのまま盗用していわゆる海賊版のプラグインモジュールが作成されたり、そのプラグインモジュールが有料サービスを受ける機能を持っている場合には不正に無料使用されたりする可能性がありえる。また、そのプラグインモジュールに利用者の個人情報が蓄積されている場合には、その個人情報流出の恐れもありえる。
【０００９】
この問題に対して、主要な機能の動作に入る前にまず機器間で認証を行い、その結果に基づいて電源提供側の機器から電源被提供側の機器への電源供給を制御する方式が提案されている。このような提案は、例えば、特許文献１や特許文献２に開示されている。
【００１０】
特許文献１では、パーソナルコンピュータから携帯型オーディオプレーヤにＵＳＢケーブルを介してオーディオデータを転送する際に、まず機器間で認証を行った後、電源供給の制御を行うことが述べられている。認証されなかった携帯型オーディオプレーヤに対しては、それ以降の電源供給が停止されるので、不要な電力消費が発生しないという利点がある。
【００１１】
特許文献２では、パーソナルコンピュータとＩＣカードとの接続において、まずＩＣタグ通信で用いられる誘導起電力によりパーソナルコンピュータからＩＣカードに電源供給し、この電源を用いて認証機能を動作させ、正常に認証されるとパーソナルコンピュータからＩＣカードに通常の電気接点経由で電源供給を行うことが述べられている。この提案では、主電源供給の前に認証動作だけでなくＩＣカードの自己診断機能を働かせることもできる。そのため、ＩＣカード内の回路不良などにより主電源接続時に過大電流が流れてパーソナルコンピュータ側の接続インターフェースに損傷を与えることを未然に防止することができる。なお、ＩＣカードへの電源供給は小電力でよいので、誘導起電力による非接触の電源供給が可能である。
【００１２】
また、デジタル放送受信装置とその外部に接続される他の映像音響装置との接続に関しては、ＨＤＭＩ（High-Definition  Multimedia  Interface）の規格が存在している。この規格に準拠した方式で、装置間での映像、音声データの伝送、装置間での遠隔、あるいは、連動制御、認証が所定のケーブルで行える。したがって、このような方式はデジタル放送受信装置とプラグインモジュールとの接続においても利用の候補となりえる。
【００１３】
上記の特許文献１および特許文献２はそれぞれ情報処理機能装置本体（これらの特許文献ではパーソナルコンピュータ）とそれに接続される機器（特許文献１では携帯型オーディオプレーヤ、特許文献２ではＩＣカード）との間でまず認証を行わせ、その結果に基づいて接続機器への電源供給を制御することを提示している。
【００１４】
しかし、特許文献１では、正当な携帯型オーディオプレーヤが接続された際には格段の電源供給制御は行われず、しかも正当な携帯型オーディオプレーヤが接続されるのが大半のケースであるので、電源制御の効果というよりも、単に機器認証動作の確実性を増す効果が主体である。
【００１５】
また、特許文献２では、最初の認証段階では小電力の電源供給を行うことでその時間内での消費電力節約や、不良ＩＣカードによる過大電流防止が実現されるが、この場合もカード装着時のわずかな時間だけの電源制御であり、それ以降の長期間は連続通電であるので消費電力に対する効果はほとんどない。また、誘導起電力の送信および受信のために、それぞれの装置にそのための回路を設置しなければならず、コストの負担が発生する。
【００１６】
ＨＤＭＩは映像、音声データの伝送や装置間制御には優れた機能を有しているが、元来各装置が個別に電源を持つことを想定しているため、他の装置に対する電源のオンオフ制御は用意されているが、動作状態での節電のための仕組みは用意されていない。また、伝送するコンテンツの著作権管理は行われているが、機器認証は実施されていない。
【先行技術文献】
【特許文献】
【００１７】
【特許文献１】特開２００１−２４３７０７号公報
【特許文献２】特開２００６−２９３９４３号公報
【発明の概要】
【００１８】
本発明は上記従来の方式での課題を解決するためになされたものであり、プラグインモジュールの電源供給をデジタル放送受信装置やプラグインモジュールの動作要求や動作状態に応じて適宜設定する。こうすることで、本発明は消費電力の効果的な制御、安全な電源オフ、および、ハングアップ状態からの復帰が可能な映像表示システム、表示装置、プラグインモジュールおよびプラグインモジュールの電源制御方法を提供する。
【００１９】
映像表示システムは、映像を表示する表示装置と、表示装置に着脱可能で前記表示装置に映像データを送信するプラグインモジュールとからなる映像表示システムであって、表示装置は、プラグインモジュールの機器認証を行う第１の認証部と、プラグインモジュールと制御信号を送受信する第１の通信部と、プラグインモジュールの映像データを受信する映像データ受信部と、プラグインモジュールの電源供給をスタンバイ電源とメイン電源の２種類に切り替えるモジュール電源供給部と、第１の認証部による認証結果、または、制御信号に基づいてモジュール電源供給部を制御する第１の制御部とを備え、プラグインモジュールは、表示装置と機器認証を行う第２の認証部と、表示装置と制御信号を送受信する第２の通信部と、映像データを送信する映像データ送信部と、第２の認証部による認証結果、または、制御信号に基づいて映像データ送信部を制御する第２の制御部とを備え、第１の制御部は、第１の認証部で機器認証が成立後、または、制御信号に基づいてモジュール電源供給部をスタンバイ電源からメイン電源に切り替える制御を行う。
【００２０】
映像表示システムは、映像を表示する表示装置と、表示装置に着脱可能で表示装置に映像データを送信するプラグインモジュールとからなる映像表示システムであって、表示装置は、プラグインモジュールと制御信号を送受信する第１の通信部と、プラグインモジュールの映像データを受信する映像データ受信部と、プラグインモジュールの電源供給をスタンバイ電源とメイン電源の２種類に切り替えるモジュール電源供給部と、第１の通信部の制御信号に基づいてモジュール電源供給部を制御する第１の制御部とを備え、プラグインモジュールは、表示装置と制御信号を送受信する第２の通信部と、映像データを送信する映像データ送信部と、制御信号に基づいて映像データ送信部を制御する第２の制御部とを備え、第１の制御部は、制御信号に基づいて前記モジュール電源供給部を制御する。
【００２１】
表示装置は、映像表示システムに用いられる映像データを送信するプラグインモジュールが着脱可能な表示装置であって、プラグインモジュールの機器認証を行う認証部と、プラグインモジュールと制御信号を送受信する通信部と、プラグインモジュールの映像データを受信する映像データ受信部と、プラグインモジュールの電源供給をスタンバイ電源とメイン電源の２種類に切り替えるモジュール電源供給部と、認証部による認証結果、または、制御信号に基づいてモジュール電源供給部を制御する制御部とを備え、制御部は、認証部で機器認証が成立後、または、制御信号に基づいてモジュール電源供給部をスタンバイ電源からメイン電源に切り替える制御を行う。
【００２２】
プラグインモジュールは、映像表示システムに用いられる表示装置に着脱可能で映像データを送信するプラグインモジュールであって、表示装置と機器認証を行う認証部と、表示装置と制御信号を送受信する通信部と、映像データを送信する映像データ送信部と、認証部による認証結果、または、制御信号に基づいて映像データ送信部を制御する制御部とを備える。
【００２３】
電源制御方法は、映像を表示する表示装置と、表示装置に着脱可能で表示装置に映像データを送信するプラグインモジュールとからなる映像表示システムにおいて、表示装置からプラグインモジュールの電源供給を制御するプラグインモジュールの電源制御方法であって、表示装置がプラグインモジュールを機器認証するステップと、機器認証が成立後に、プラグインモジュールの電源供給をスタンバイ電源からメイン電源に切り替える制御をするステップとを備える。
【００２４】
プラグインモジュールの電源制御方法は、映像を表示する表示装置と、表示装置に着脱可能で表示装置に映像データを送信するプラグインモジュールとからなる映像表示システムにおいて、表示装置からプラグインモジュールの電源供給を制御するプラグインモジュールの電源制御方法であって、表示装置がプラグインモジュールを機器認証するステップと、表示装置がプラグインモジュールと制御信号を送受信するステップと、機器認証の成立後に、電源供給をスタンバイ電源からメイン電源に切り替える制御をするステップとを備える。
【図面の簡単な説明】
【００２５】
【図１】本発明を適用する映像表示システムのデジタル放送受信装置とプラグインモジュールの接続状態を示す外観図
【図２】本発明の第１の実施の形態における映像表示システムのデジタル放送受信装置とプラグインモジュールのブロック図
【図３】本発明の第２の実施の形態における映像表示システムのデジタル放送受信装置とプラグインモジュールのブロック図
【図４】本発明の第２の実施の形態における映像表示システムのデジタル放送受信装置とプラグインモジュールとの間で認証成立時に行われる処理フロー図
【図５】本発明の第２の実施の形態における映像表示システムのデジタル放送受信装置とプラグインモジュールとの間で認証不成立時に行われる処理フロー図
【図６】本発明の第２の実施の形態における映像表示システムのデジタル放送受信装置とプラグインモジュールとの間で認証成立後にプラグインモジュール操作まで待機する処理フロー図
【図７】本発明の第２の実施の形態における映像表示システムのデジタル放送受信装置とプラグインモジュールとの間で認証成立後にプラグインモジュールからの電源オン要求まで待機する処理フロー図
【図８】本発明の第２の実施の形態における映像表示システムのデジタル放送受信装置からプラグインモジュールへの電源オフ要求時に行われる処理フロー図
【図９】本発明の第２の実施の形態における映像表示システムのデジタル放送受信装置からプラグインモジュールへの電源オフ要求時に進捗を監視しながら行われる処理フロー図
【図１０】本発明の第２の実施の形態における映像表示システムのプラグインモジュールからデジタル放送受信装置への電源オフ要求時に行われる処理フロー図
【図１１】本発明の第２の実施の形態における映像表示システムのプラグインモジュールが異常状態で、再起動が必要である時に行われる処理フロー図
【発明を実施するための形態】
【００２６】
以下、本発明を実施するための実施の形態について、図面を参照しながら説明する。
【００２７】
図１は本発明を適用する映像表示システムのデジタル放送受信装置とプラグインモジュールの接続状態を示す外観図である。デジタル放送受信装置１００は、テレビ放送などの映像を表示する表示装置であり、例えば、液晶テレビやプラズマテレビである。図１ではデジタル放送受信装置１００の背面が描かれている。デジタル放送受信装置１００は、背面に装着スロット１１０を備えており、装着スロット１１０にプラグインモジュール２００が装着される。装着スロット１１０とプラグインモジュール２００は、制御信号の授受や電源の供給を行うためのモジュール接続線とＨＤＭＩ線で接続される。なお、制御信号の授受は電気接点による接続に代えて、光ファイバによる接続、あるいは無線、電磁誘導、光通信などの手段によって接点のない空間結合による接続も可能である。
【００２８】
（第１の実施の形態）
図２は本発明の第１の実施の形態における映像表示システムのデジタル放送受信装置とプラグインモジュールのブロック図である。図２ではデジタル放送受信装置１００Ａと、プラグインモジュール２００Ａと、デジタル放送受信装置１００Ａとプラグインモジュール２００Ａとを接続するモジュール接続線３００ＡとＨＤＭＩ線４００を示しており、それぞれの接続機能に関する部分の構成および両者間の接続線を示している。なお以降は、デジタル放送受信装置１００Ａは代表的な例であるデジタルテレビジョン放送を受信、復調、表示するテレビ受信機である場合について説明する。
【００２９】
デジタル放送受信装置１００Ａとプラグインモジュール２００Ａとの間での映像音声データの送受信および両者間の制御は接続線であるＨＤＭＩ線４００を介して行われる。すでに、ＨＤＭＩ線４００やこのＨＤＭＩ線４００に対応したテレビ受信機や映像関連製品が普及している。ＨＤＭＩ線４００には制御用のＣＥＣ信号線４０１と、映像音声データ線４０２が含まれる。
【００３０】
デジタル放送受信装置１００Ａの制御を行う放送受信装置制御部（以下、「装置制御部」と略記する）１０１とモジュール制御部２０１との間の通信は、ＣＥＣ通信部１０４、ＣＥＣ通信部２０４、およびＣＥＣ信号線４０１によって行われる。装置制御部１０１は第１の制御部の１例である。モジュール制御部２０１は、プラグインモジュール２００Ａの制御を行う第２の制御部の１例である。ＣＥＣ通信部１０４は第１の通信部の１例であり、ＣＥＣ通信部２０４は第２の通信部の１例である。ＣＥＣ信号線４０１はＣＥＣ通信部１０４とＣＥＣ通信部２０４を接続する。
【００３１】
デジタル放送受信装置１００Ａとプラグインモジュール２００Ａとの間での映像音声データの送受信は、それぞれの内部に設置された映像音声送受信部１０５、映像音声送受信部２０５、および映像音声データ線４０２によって行われる。映像音声送受信部１０５は映像データ受信部の１例であり、映像音声送受信部２０５は映像データ送信部の１例である。映像音声データ線４０２は映像音声送受信部１０５と映像音声送受信部２０５を接続する。
【００３２】
ここで、プラグインモジュール２００Ａがデジタル放送受信モジュールの場合は、映像データ等はプラグインモジュール２００Ａ側からデジタル放送受信装置１００Ａ側へ送られる。プラグインモジュール２００Ａが、例えば、ハードディスク記録モジュールのような場合には、映像データ等はデジタル放送受信装置１００Ａ側からプラグインモジュール２００Ａ側へ送られる。
【００３３】
次にデジタル放送受信装置１００Ａ内の装置制御部１０１はモジュール電源供給部１０２を制御して、モジュール接続線３００Ａ内のメイン電源供給線３０１およびスタンバイ電源供給線３０２を介して、プラグインモジュール２００Ａに電源供給を行う。デジタル放送受信装置１００Ａの電源が投入されると、装置制御部１０１はモジュール電源供給部１０２のスタンバイ電源をオンする。スタンバイ電源供給線３０２による電源供給は図２に示すように、制御信号の処理や送受信に携わるＣＥＣ通信部２０４に対して行われる。この状態でＣＥＣ通信部１０４とＣＥＣ通信部２０４の間で制御信号の通信が可能となる。
【００３４】
その後、装置制御部１０１はプラグインモジュール２００Ａ内のモジュール制御部２０１からＣＥＣ通信部１０４およびＣＥＣ通信部２０４を介して制御信号を受け取る。この制御信号に基づいてモジュール電源供給部１０２はスタンバイ電源からメイン電源に切り替えられる。一般的に、プラグインモジュール２００Ａのメイン電源での動作時が数１０ワット程度の消費電力であるのに対し、スタンバイ電力は数ワット以下の水準である。その理由は、上述したように、スタンバイ電源供給線３０２による電源供給はＣＥＣ通信部２０４を含むスタンバイ機能の回路のみに供給される。これに対して、メイン電源供給線３０１による電源供給はＣＥＣ通信部２０４を含む全ての部分に対するものであり、映像音声送受信部２０５などの主要機能のための電力であるからである。
【００３５】
このように、デジタル放送受信装置１００Ａの電源が投入されたときに、プラグインモジュール２００Ａに対して自動的にメイン電源を供給するのではなく、必要な場合にのみメイン電源を供給することにより消費電力の削減が可能となる。ここで、上記必要な場合とは、外部からプラグインモジュール２００Ａに関する操作を受け取った場合や、プラグインモジュール２００Ａが自身の状態を判断してメイン電源を必要とする場合などである。なお、このメイン電源供給線３０１が電源供給している場合は、ＣＥＣ通信部２０４もメイン電源で動作させることができるので、スタンバイ電源供給線３０２からの電源供給を停止することも可能である。一般的に、スタンバイ電源の回路は数ワット程度の小さな電力を作り出すため電力効率が悪く、ロスの割合が大きくなる。それに比べてメイン電源の回路は電力効率がよく、ロスが少ないので、スタンバイ機能の回路に対してもメイン電源から電力を供給することでさらに消費電力の削減が可能となる。
【００３６】
（第２の実施の形態）
図３は本発明の第２の実施の形態における映像表示システムのデジタル放送受信装置とプラグインモジュールのブロック図である。図３では図２に示した構成に、認証機能のための機能ブロックと信号線を付加した場合の構成を示している。プラグインモジュール２００Ｂの認証を行うために、デジタル放送受信装置１００Ｂとプラグインモジュール２００Ｂの内部にそれぞれ認証部１０３、認証部２０３が設置され、モジュール接続線３００Ｂ内に設けられた暗号処理などが施された認証用セキュア通信線３０３を介して機器認証が行われる。
【００３７】
認証部１０３は機器認証用の第１の認証部の１例である。認証部２０３は機器認証用の第２の認証部の１例である。なお、ＨＤＭＩにも認証機能が含まれるが、これはコピー制御用の限定されたＨＤＣＰ（High-bandwidth  Digital  Content  Protection  system）認証である。したがって、ＨＤＭＩはプラグインモジュール２００Ｂ自体の機器認証とは目的が異なる。また認証部２０３はＣＥＣ通信部２０４と同様にスタンバイ電源が供給される。
【００３８】
次に、この図３の構成の場合を例にとって、デジタル放送受信装置１００Ｂとプラグインモジュール２００Ｂとのいくつかの動作において、どのように電源が制御されるかを両者間の制御信号の流れと電源制御の内容を図示して説明する。
【００３９】
図４は本発明の第２の実施の形態における映像表示システムのデジタル放送受信装置とプラグインモジュールとの間で認証成立時に行われる処理フロー図である。図５は本発明の第２の実施の形態における映像表示システムのデジタル放送受信装置とプラグインモジュールとの間で認証不成立時に行われる処理フロー図である。図４、図５はデジタル放送受信装置１００Ｂにプラグインモジュール２００Ｂが装着された直後、あるいは、プラグインモジュール２００Ｂが装着されているデジタル放送受信装置１００Ｂの起動直後の認証動作における認証用信号の流れと電源制御の様子を示す。以下、図中の実線の矢印線は制御信号の流れ、点線の矢印線は電源等の実際の制御を示すものとする。
【００４０】
図４においては、まずデジタル放送受信装置１００Ｂの電源が投入されると、装置制御部１０１がモジュール電源供給部１０２を制御してプラグインモジュール２００Ｂに対してスタンバイ電源を供給する(ステップＳ５０１)。
【００４１】
引き続き装置制御部１０１は、認証部１０３を介して認証部２０３に認証問い合わせを実行する（ステップＳ５０２）。認証部２０３から認証応答があって認証が成立すると、装置制御部１０１は直ちにモジュール電源供給部１０２からプラグインモジュール２００Ｂにメイン電源を供給させる（ステップＳ５０３）。メイン電源が供給されるとプラグインモジュール２００Ｂのモジュール制御部２０１やＲＯＭ等（図示せず）に実装されているモジュールソフトが起動する。
【００４２】
この後、装置制御部１０１は、ＨＤＭＩが標準でサポートしているＨＤＣＰ等に基づくＨＤＭＩ認証をさらに実行する（ステップＳ５２０）。ＨＤＭＩ認証が成立すれば、この時点で初めてプラグインモジュール２００Ｂのモジュール制御部２０１に映像データをデジタル放送受信装置１００Ｂに送信するように装置制御部１０１が指示する。この指示を受けて、モジュール制御部２０１は、映像音声送受信部２０５から映像音声データを映像音声データ線４０２を介して、デジタル放送受信装置１００Ｂに送出する。そうして、放送受信装置１００Ｂの映像音声送受信部１０５が受けた映像音声データを装置制御部１０１は表示画面に映像表示（出画）させるなどの動作を行う（ステップＳ５２１）。このＨＤＭＩ認証の部分については、詳細な説明は省略する。
【００４３】
前述したように、このとき、もともとスタンバイ電源が電源供給していた機能ブロックも含めてメイン電源が電源供給する場合は、スタンバイ電源の供給継続は不要となるので、スタンバイ電源オフの処理が最後に追加されることになる。この図４、および以降の図ではスタンバイ電源オフの動作を記入しないが、そのような場合も含まれるものとする。
【００４４】
図５はステップＳ５０２で認証が不成立であった場合を示す。正しく認証されないプラグインモジュール２００Ｂに対してはスタンバイ電源を継続供給する必要がない。したがって、装置制御部１０１はモジュール電源供給部１０２が直ちにスタンバイ電源オフになるよう制御する（ステップＳ５０４）。
【００４５】
図６は本発明の第２の実施の形態における映像表示システムのデジタル放送受信装置とプラグインモジュールとの間で認証成立後に、プラグインモジュール操作時まで待機する処理フロー図である。すなわち図６は、ステップＳ５０２で認証が成立しても、装置制御部１０１がモジュール電源供給部１０２を直ちにメイン電源オンとしない場合を示す。デジタル放送受信装置１００Ｂに対して行われる種々の操作のうち、プラグインモジュール２００Ｂの機能に関係のないものが何度行われても、装置制御部１０１は対応しない。そして、プラグインモジュール２００Ｂの機能に関係する操作が行われた場合にのみ、装置制御部１０１が反応してモジュール電源供給部１０２を直ちにメイン電源オンとする（ステップＳ５０３）。
【００４６】
操作に対する対応や、操作の中からメイン電源オンの制御に反映されるものを選択する機能は、図３における装置制御部１０１によって実現される。これにより、必要なときだけにプラグインモジュール２００Ｂにメイン電源を供給する効率的な電源制御が行える。なお、上記の操作はデジタル放送受信装置１００Ｂの本体上の操作キーを用いて行われるものだけでない。上記の操作は付属のリモートコントローラを用いて行われるもの、あるいは有線、無線で接続された他の装置から遠隔で行われるものも含まれる。
【００４７】
図７は本発明の第２の実施の形態における映像表示システムのデジタル放送受信装置とプラグインモジュールとの間で認証成立後に、プラグインモジュールからの電源オン要求まで待機する処理フロー図である。図７も図６の場合同様に、ステップＳ５０２で認証が成立しても装置制御部１０１はモジュール電源供給部１０２を直ちにメイン電源オンとせず必要となるまで待機する場合を示す。プラグインモジュール２００Ｂのモジュール制御部２０１がＣＥＣ通信部２０４を介してデジタル放送受信装置１００ＢのＣＥＣ通信部１０４に対して、電源オン要求をＣＥＣ信号線４０１で送る（ステップＳ５０５）。その電源オン要求をデジタル放送受信装置１００Ｂの装置制御部１０１が受け取り、モジュール電源供給部１０２を直ちにメイン電源オンとする（ステップＳ５０３）。この場合も必要なときだけにプラグインモジュール２００Ｂにメイン電源を供給する効率的な電源制御が行える。
【００４８】
プラグインモジュール２００Ｂ側より電源オン要求を出す例としては、プラグインモジュール２００Ｂに視聴予約や録画予約の機能がある場合、予約時刻になって映像音声データの送出やハードディスクなどの記録部の起動が必要となる場合がある。あるいはプラグインモジュール２００Ｂ自体の動作用のソフトウェア（ファームウェア）を放送信号やネットワークから指定の時刻にダウンロードされる運用になっていて、その指定時刻に受信機能を起動させなければならない場合などが挙げられる。
【００４９】
さらには、付属のリモートコントローラを用いて操作される場合に、リモートコントローラからの制御信号の受信部（赤外線を利用する場合は受光部）がデジタル放送受信装置１００Ｂ側ではなく、プラグインモジュール２００Ｂ側に実装されている場合も考えられる。この場合は、プラグインモジュール２００Ｂ側の受信部で受信した制御信号をモジュール制御部２０１で受け取り、ＣＥＣ通信部２０４およびＣＥＣ通信部１０４を介して装置制御部１０１に伝送する。そして、上記操作がプラグインモジュール２００Ｂに関係する操作と判断されたら、モジュール制御部２０１は装置制御部１０１にプラグインモジュール２００Ｂのメイン電源をオンするように指示を出す。
【００５０】
図８は本発明の第２の実施の形態における映像表示システムのデジタル放送受信装置からプラグインモジュールへの電源オフ要求時に行われる処理フロー図である。図８はデジタル放送受信装置１００Ｂがプラグインモジュール２００Ｂへのメイン電源の供給を停止する場合の制御信号の流れと電源制御の様子を示す。デジタル放送受信装置１００Ｂは、いきなりメイン電源の供給を停止するのではなく、まず装置制御部１０１が、ＣＥＣ通信部１０４を介してプラグインモジュール２００ＢのＣＥＣ通信部２０４に対し電源オフ要求を送出する（ステップＳ５０６）。プラグインモジュール２００Ｂは、この電源オフ要求を受け取った後、内部の終了処理に入る。終了処理としては、内部ソフトウェアが正常に終了するための処理、メモリの読み書き終了処理、最新の電子番組表の取得、ソフトウェアダウンロード、あるいはハードディスクなどの記録部を内蔵している場合は機構的保護処理などが挙げられる。
【００５１】
以上のプラグインモジュール２００Ｂの処理を無事に完了した後に、モジュール制御部２０１がＣＥＣ通信部２０４から終了処理の処理完了通知をデジタル放送受信装置１００のＣＥＣ通信部１０４に向けて送信する（ステップＳ５０７）。デジタル放送受信装置１００Ｂの装置制御部１０１は処理完了通知を受け取った後、直ちにモジュール電源供給部１０２のメイン電源の供給を停止させる（ステップＳ５０８）。
【００５２】
図９は本発明の第２の実施の形態における映像表示システムのデジタル放送受信装置からプラグインモジュールへの電源オフ要求時に進捗を監視しながら行われる処理フロー図である。図９は、図８の場合同様に、デジタル放送受信装置１００Ｂがプラグインモジュール２００Ｂへのメイン電源の供給を停止する場合の制御信号の流れと電源制御の様子を示す。図９に示す処理フローが図８の処理フローと異なる点は、装置制御部１０１がモジュール制御部２０１からの終了処理の処理完了通知を待つ間に、終了処理進捗要求を送信することである。すなわち、デジタル放送受信装置１００ＢはステップＳ５０６で電源オフ要求を送信したのに引き続き、プラグインモジュール２００Ｂに対し終了処理進捗通知要求を送信する（ステップＳ５０９）。
【００５３】
プラグインモジュール２００Ｂのモジュール制御部２０１はこの進捗通知要求に対し、終了処理完了予定時間を回答する（ステップＳ５１０）。例えばその回答内容が「Ｔａ分後」であれば、デジタル放送受信装置１００Ｂの装置制御部１０１はＴａ分後に再度プラグインモジュール２００Ｂのモジュール制御部２０１に対し終了処理進捗通知要求を送信する（ステップＳ５０９）。これに対しこの時点でまだ処理時間を要する場合は、プラグインモジュール２００Ｂのモジュール制御部２０１は再度ステップＳ５１０で終了処理完了予定時間を回答する。例えば、その回答内容が「Ｔｂ分後」であれば、デジタル放送受信装置１００Ｂの装置制御部１０１はＴｂ分後に再度ステップ５１０でプラグインモジュール２００のモジュール制御部２０１に対し終了処理進捗通知要求を送信する。この時点で終了処理が完了していれば、プラグインモジュール２００Ｂのモジュール制御部２０１は図８の場合と同様にステップＳ５０７で終了処理完了通知を送信する。そうして、デジタル放送受信装置１００Ｂの装置制御部１０１が終了処理完了通知を受け取った後、直ちにモジュール電源供給部１０２のメイン電源の供給を停止させる（ステップＳ５０８）。
【００５４】
上記の進捗確認動作は、プラグインモジュール２００Ｂの不調により、デジタル放送受信装置１００Ｂが限りなく長い時間待機してしまうのを防止できる利点がある。またその終了予定時間を画面表示することにより、視聴者に対して動作進捗状況を提示できるので、待ち時間を長く感じずに済む親切機能となる。
【００５５】
図１０は本発明の第２の実施の形態における映像表示システムのプラグインモジュールからデジタル放送受信装置への電源オフ要求時行われる処理フロー図である。図１０はプラグインモジュール２００Ｂ側から電源オフ要求を出す場合の制御信号の流れと電源制御の様子を示す。プラグインモジュール２００Ｂのモジュール制御部２０１がＣＥＣ通信部２０４を介して送信した電源オフ要求をＣＥＣ通信部１０４が受け取る（ステップＳ５１１）。そうして、デジタル放送受信装置１００Ｂの装置制御部１０１はあらかじめ設定した遅延時間の後、モジュール電源供給部１０２のメイン電源の供給を停止する（ステップＳ５０８）。プラグインモジュール２００Ｂのモジュール制御部２０１は電源オフ要求を送信するまでに、必要な終了処理を終えているものと想定される。しかし、種々のプラグインモジュールにおける仕様の多様性を考慮して余裕を持たせるために、一定の遅延時間後にメイン電源の供給を停止するのが適切である。プラグインモジュール２００Ｂ内のソフトウェアの終了処理を想定するだけでよいのであれば、上記の遅延時間は数秒程度で十分である。
【００５６】
なお、プラグインモジュール２００Ｂ側から電源オフ要求を出す場合の具体例としては、プラグインモジュール２００Ｂが再起動を必要とする状況であることを自ら検出し、一旦メイン電源の供給停止が必要となる場合が挙げられる。プラグインモジュール２００Ｂの構成によっては、スタンバイ電源の供給停止も必要となる場合もある。
【００５７】
図１１は本発明の第２の実施の形態における映像表示システムのプラグインモジュールが異常状態で、再起動が必要である時に行われる処理フロー図である。図１１は、プラグインモジュール２００Ｂが再起動を必要とする異常状況であることをデジタル放送受信装置１００Ｂ側が検出して、メイン電源の供給を停止する場合の制御信号の流れと電源制御の様子を示す。プラグインモジュール２００Ｂのモジュール制御部２０１がＣＥＣ通信部２０４から所定時間間隔ごとに自らのモジュールが正常に動作していることの状態通知の発送をデジタル放送受信装置１００ＢのＣＥＣ通信部１０４へ繰り返す（ステップＳ５１２）。デジタル放送受信装置１００Ｂの装置制御部１０１はこの状態通知の受取りによって、プラグインモジュール２００Ｂの正常動作を検出する。状態通知が所定の待機時間以上にわたって受け取れないとき、装置制御部１０１はプラグインモジュール２００Ｂがいわゆるハングアップ状態などの異常状態であると判定する。そうして、装置制御部１０１はプラグインモジュール２００Ｂの再起動のためにモジュール電源供給部１０２のメイン電源の供給を一旦停止する（ステップＳ５０８）。装置制御部１０１は、その２〜５秒後に再びモジュール電源供給部１０２のメイン電源の供給を開始する（ステップＳ５０３）。これにより、ハングアップしたプラグインモジュール２００Ｂを自動的に再起動させることが可能になる。
【００５８】
以上説明したように本発明によれば、デジタル放送受信装置１００、１００Ａ、１００Ｂに外付け接続され、所定の通信機能や情報処理機能を有する外付けのプラグインモジュール２００、２００Ａ、２００Ｂを備える映像表示システムにおいて、スタンバイ電源とメイン電源の供給切替え動作を効果的に制御させることができる。これにより、プラグインモジュール２００、２００Ａ、２００Ｂに供給する電力を効率的に節約することが可能となる。また、プラグインモジュール２００、２００Ａ、２００Ｂへの電源供給を停止する際に、プラグインモジュール２００、２００Ａ、２００Ｂ側の終了処理完了の通知を待って電源供給を停止するので、安全な電源停止を行うことができる。さらに、プラグインモジュール２００、２００Ａ、２００Ｂのハングアップを検出し、メイン電源の供給停止および再供給によって自動的に再起動させることが可能となる。
【００５９】
また本発明は、既に広く利用されているＨＤＭＩ接続機能に、電源供給のための接続線、あるいは更に認証用信号授受のための接続線を用意するだけでよく、追加するソフトウェアも上記実施の形態で説明した程度の簡単な処理手順でよい。
【００６０】
さらに、今後デジタル放送受信装置の多機能化を実現するために、種々の外付けプラグインモジュールが商品化されることが予想されるので、本発明はますます有用なものとなる。
【００６１】
なお、上記実施の形態では、デジタル放送受信装置１００、１００Ａ、１００Ｂの電源が起動されるときに装置制御部１０１がモジュール電源供給部１０２のスタンバイ電源をオンとし、その後に機器認証を行うとして説明した。しかしながら、デジタル放送受信装置１００、１００Ａ、１００Ｂの電源がオンの状態で、プラグインモジュール２００、２００Ａ、２００Ｂを抜き差しした場合にも、装置制御部１０１はＣＥＣ通信部１０４、２０４を介してプラグインモジュールの装着２００、２００Ａ、２００Ｂを検出し、その後に機器認証を行うようにしてもよい。
【００６２】
以上の説明から明らかなように、本発明によれば、プラグインモジュールの電源供給をデジタル放送受信装置やプラグインモジュールの動作要求や動作状態に応じて適宜設定することができる。そうすることで、消費電力の効率的な制御、安全な電源オフ、およびハングアップ状態からの復帰が可能な映像表示システム、表示装置、プラグインモジュールおよびプラグインモジュールの電源制御方法を提供することができる。
【産業上の利用可能性】
【００６３】
本発明は、デジタル放送受信装置に外付け接続され、所定の通信機能や情報処理機能を有する外付けのプラグインモジュールを備える映像表示システムにおいて、プラグインモジュールの電源制御を有効に行うものであり、プラグインモジュールを装着する映像表示システムに広く適用可能である。
【符号の説明】
【００６４】
１００，１００Ａ，１００Ｂ    デジタル放送受信装置
１０１    放送受信装置制御部（第１の装置制御部）
１０２    モジュール電源供給部
１０３    認証部（第１の認証部）
２０３    認証部（第２の認証部）
１０４    ＣＥＣ通信部（第２の通信部）
２０４    ＣＥＣ通信部（第２の通信部）
１０５，２０５    映像音声送受信部
１１０    装着スロット
２００，２００Ａ，２００Ｂ    プラグインモジュール
２０１    モジュール制御部（第２の装置制御部）
３００Ａ，３００Ｂ    モジュール接続線
３０１    メイン電源供給線
３０２    スタンバイ電源供給線
３０３    認証用セキュア通信線
４００    ＨＤＭＩ線
４０１    ＣＥＣ信号線
４０２    映像音声データ線
【手続補正２】
【補正対象書類名】特許請求の範囲
【補正対象項目名】全文
【補正方法】変更
【補正の内容】
【特許請求の範囲】
【請求項１】
映像を表示する表示装置と、前記表示装置に着脱可能で前記表示装置に映像データを送信するプラグインモジュールとからなる映像表示システムであって、
前記表示装置は、
前記プラグインモジュールの機器認証を行う第１の認証部と、
前記プラグインモジュールと制御信号を送受信する第１の通信部と、
前記プラグインモジュールの映像データを受信する映像データ受信部と、
前記プラグインモジュールの電源供給をスタンバイ電源とメイン電源の２種類に切り替えるモジュール電源供給部と、
前記第１の認証部による認証結果、または、前記制御信号に基づいて前記モジュール電源供給部を制御する第１の制御部とを備え、
前記プラグインモジュールは、
前記表示装置と機器認証を行う第２の認証部と、
前記表示装置と前記制御信号を送受信する第２の通信部と、
前記映像データを送信する映像データ送信部と、
前記第２の認証部による認証結果、または、前記制御信号に基づいて映像データ送信部を制御する第２の制御部とを備え、
前記第１の制御部は、前記第１の認証部で機器認証が成立後、または、前記制御信号に基づいて前記モジュール電源供給部をスタンバイ電源からメイン電源に切り替える制御を行う映像表示システム。
【請求項２】
前記第１の制御部は、前記第１の認証部で機器認証が成立後に、さらに前記プラグインモジュールの操作を受け付けた後に、前記モジュール電源供給部をスタンバイ電源からメイン電源に切り替える制御を行うことを特徴とする請求項１に記載の映像表示システム。
【請求項３】
前記第１の制御部は、前記第１の認証部で機器認証が成立後に、さらに前記第１の通信部が前記第２の通信部から電源オン要求を受信した後に、前記モジュール電源供給部をスタンバイ電源からメイン電源に切り替える制御を行う請求項１に記載の映像表示システム。
【請求項４】
前記第１の制御部は、前記第１の認証部で機器認証が成立後に、さらに前記第１の通信部と前記第２の通信部とでＨＤＣＰ認証が成立のときに、前記映像データ受信部で前記映像データを受信する制御を行う請求項１に記載の映像表示システム。
【請求項５】
前記第１の制御部は、前記第１の認証部で機器認証が不成立のときに、前記モジュール電源供給部のスタンバイ電源をオフに切り替える制御を行う請求項１に記載の映像表示システム。
【請求項６】
前記第１の制御部は、前記第１の通信部から前記第２の通信部へ電源オフ要求を送信する制御を行い、前記第２の通信部が送信する前記プラグインモジュールの終了処理の処理完了通知を前記第１の通信部が受信した後に、前記モジュール電源供給部のメイン電源をオフに切り替える制御を行う請求項１に記載の映像表示システム。
【請求項７】
前記第１の制御部は、前記第１の通信部から前記第２の通信部へ電源オフ要求を送信した後に、さらに終了処理進捗通知要求を送信する制御を行い、前記第２の通信部が送信する前記プラグインモジュールの終了処理完了予定時間を前記第１の通信部が受信したとき、前記終了処理完了予定時間待機する制御を行う請求項１に記載の映像表示システム。
【請求項８】
前記第１の制御部は、前記第１の通信部が前記第２の通信部から電源オフ要求を受信したとき、所定時間遅延させた後に前記モジュール電源供給部のメイン電源をオフに切り替える制御を行う請求項１に記載の映像表示システム。
【請求項９】
前記第１の制御部は、前記第１の通信部が前記第２の通信部からの前記プラグインモジュールの状態通知が所定時間以上受信できないとき、前記プラグインモジュールが異常状態であると判断し、前記モジュール電源供給部のメイン電源を一旦オフに切り替え、その後再びオンに切り替える制御を行う請求項１に記載の映像表示システム。
【請求項１０】
前記表示装置と前記プラグインモジュールとの接続は、
前記機器認証を行う情報の伝送のための機器認証経路と、
前記映像データの伝送のための映像データ経路と、
前記制御信号の伝送のための制御信号経路と、
前記スタンバイ電源供給のためのスタンバイ電源経路と、
前記メイン電源供給のためのメイン電源経路と
を備える請求項１に記載の映像表示システム。
【請求項１１】
前記映像データ経路と前記制御信号経路は、ＨＤＭＩ規格の信号線によって実現される請求項１０に記載の映像表示システム。
【請求項１２】
前記制御信号経路は、ＣＥＣ通信経路線である請求項１１に記載の映像表示システム。
【請求項１３】
映像を表示する表示装置と、前記表示装置に着脱可能で前記表示装置に映像データを送信するプラグインモジュールとからなる映像表示システムであって、
前記表示装置は、
前記プラグインモジュールと制御信号を送受信する第１の通信部と、
前記プラグインモジュールの映像データを受信する映像データ受信部と、
前記プラグインモジュールの電源供給をスタンバイ電源とメイン電源の２種類に切り替えるモジュール電源供給部と、
前記第１の通信部の制御信号に基づいて前記モジュール電源供給部を制御する第１の制御部とを備え、
前記プラグインモジュールは、
前記表示装置と前記制御信号を送受信する第２の通信部と、
前記映像データを送信する映像データ送信部と、
前記制御信号に基づいて映像データ送信部を制御する第２の制御部とを備え、
前記第１の制御部は、前記制御信号に基づいて前記モジュール電源供給部を制御する映像表示システム。
【請求項１４】
前記表示装置は、さらに前記プラグインモジュールと機器認証を行う第１の認証部を備え、
前記プラグインモジュールは、さらに前記表示装置の第１の認証部と通信して機器認証を行う第２の認証部とを備え、
前記第１の制御部は、前記第１および前記第２の認証部での機器認証の結果に基づいて前記モジュール電源供給部を制御する請求項１３に記載の映像表示システム。
【請求項１５】
映像表示システムに用いられる映像データを送信するプラグインモジュールが着脱可能な表示装置であって、
前記プラグインモジュールの機器認証を行う認証部と、
前記プラグインモジュールと制御信号を送受信する通信部と、
前記プラグインモジュールの映像データを受信する映像データ受信部と、
前記プラグインモジュールの電源供給をスタンバイ電源とメイン電源の２種類に切り替えるモジュール電源供給部と、
前記認証部による認証結果、または、前記制御信号に基づいて前記モジュール電源供給部を制御する制御部とを備え、
前記制御部は、前記認証部で機器認証が成立後、または、前記制御信号に基づいて前記モジュール電源供給部をスタンバイ電源からメイン電源に切り替える制御を行う表示装置。
【請求項１６】
前記制御部は、前記認証部で機器認証が成立後に、さらに前記プラグインモジュールの操作を受け付けた後に、前記モジュール電源供給部をスタンバイ電源からメイン電源に切り替える制御を行う請求項１５に記載の表示装置。
【請求項１７】
前記制御部は、前記認証部で機器認証が成立後に、さらに、前記通信部が前記プラグインモジュールから電源オン要求を受信した後に、前記モジュール電源供給部をスタンバイ電源からメイン電源に切り替える制御を行う請求項１５に記載の表示装置。
【請求項１８】
前記制御部は、前記認証部で機器認証が成立後に、さらに前記通信部と前記プラグインモジュールとでＨＤＣＰ認証が成立のときに、前記映像データ受信部で前記映像データを受信する制御を行う請求項１５に記載の表示装置。
【請求項１９】
前記制御部は、前記認証部で機器認証が不成立のときに、前記モジュール電源供給部のスタンバイ電源をオフに切り替える制御を行う請求項１５に記載の表示装置。
【請求項２０】
前記制御部は、前記通信部から前記プラグインモジュールへ電源オフ要求を送信する制御を行い、前記プラグインモジュールが送信する前記プラグインモジュールの終了処理の処理完了通知を前記通信部が受信した後に、前記モジュール電源供給部のメイン電源をオフに切り替える制御を行う請求項１５に記載の表示装置。
【請求項２１】
前記制御部は、前記通信部から前記プラグインモジュールへ電源オフ要求を送信した後に、さらに終了処理進捗通知要求を送信する制御を行い、前記プラグインモジュールが送信する前記プラグインモジュールの終了処理完了予定時間を前記通信部が受信したとき、前記終了処理完了予定時間待機する制御を行う請求項１５に記載の表示装置。
【請求項２２】
前記制御部は、前記通信部が前記プラグインモジュールから電源オフ要求を受信したとき、所定時間遅延させた後に前記モジュール電源供給部のメイン電源をオフに切り替える制御を行う請求項１５に記載の表示装置。
【請求項２３】
前記制御部は、前記通信部が前記プラグインモジュールから前記プラグインモジュールの状態通知が所定時間以上受信できないとき、前記プラグインモジュールが異常状態であると判断し、前記モジュール電源供給部のメイン電源を一旦オフに切り替え、その後再びオンに切り替える制御を行う請求項１５に記載の表示装置。
【請求項２４】
映像表示システムに用いられる表示装置に着脱可能で映像データを送信するプラグインモジュールであって、
前記表示装置と機器認証を行う認証部と、
前記表示装置と前記制御信号を送受信する通信部と、
前記映像データを送信する映像データ送信部と、
前記認証部による認証結果、または、前記制御信号に基づいて前記映像データ送信部を制御する制御部とを備えたプラグインモジュール。
【請求項２５】
前記認証部の認証が成立し、前記表示装置からメイン電源が供給された後に、前記制御部は、前記ＨＤＣＰ認証が成立のときに、前記映像データ送信部から前記映像データを前記表示装置へ送信する請求項２４に記載のプラグインモジュール。
【請求項２６】
映像を表示する表示装置と、前記表示装置に着脱可能で前記表示装置に映像データを送信するプラグインモジュールとからなる映像表示システムにおいて、前記表示装置から前記プラグインモジュールの電源供給を制御するプラグインモジュールの電源制御方法であって、
前記表示装置が前記プラグインモジュールを機器認証するステップと、
前記機器認証が成立後に、前記プラグインモジュールの電源供給をスタンバイ電源からメイン電源に切り替える制御をするステップとを備えるプラグインモジュールの電源制御方法。
【請求項２７】
前記制御をするステップは、前記機器認証が成立後に、さらに前記プラグインモジュールの操作を受け付けた後に、前記プラグインモジュールに供給する電源をスタンバイ電源からメイン電源に切り替える制御を行う請求項２６に記載のプラグインモジュールの電源制御方法。
【請求項２８】
前記制御をするステップは、前記機器認証が成立後に、前記プラグインモジュールから電源オン要求を受信するステップを備え、前記電源オン要求を受信した後に前記プラグインモジュールに供給する電源をスタンバイ電源からメイン電源に切り替える制御を行う請求項２６に記載のプラグインモジュールの電源制御方法。
【請求項２９】
前記制御をするステップは、前記機器認証が成立後に、前記表示装置と前記プラグインモジュールがＨＤＣＰ認証するステップをさらに含み、前記ＨＤＣＰ認証が成立のときに、前記プラグインモジュールからの前記映像データを受信する制御を行う請求項２６に記載のプラグインモジュールの電源制御方法。
【請求項３０】
前記制御をするステップは、前記機器認証が不成立のときに、前記プラグインモジュールに供給するスタンバイ電源をオフに切り替える制御を行う請求項２６に記載のプラグインモジュールの電源制御方法。
【請求項３１】
前記制御するステップは、
前記プラグインモジュールへ電源オフ要求を送信するステップと、前記プラグインモジュールの終了処理の処理完了通知を受信するステップとを備え、
前記処理完了通知を受け取った後に、メイン電源をオフに切り替える制御を行う請求項２６に記載のプラグインモジュールの電源制御方法。
【請求項３２】
前記制御するステップは、
前記プラグインモジュールへ電源オフ要求を送信するステップと、前記電源オフ要求を送信した後に、さらに終了処理進捗通知要求を送信するステップと、
前記プラグインモジュールの終了処理完了予定時間を受信するステップとを備え、
前記受信した終了処理完了予定時間待機する制御を行う請求項２６に記載のプラグインモジュールの電源制御方法。
【請求項３３】
前記制御するステップは、
前記プラグインモジュールから電源オフ要求を受信するステップを備え、
前記電源オフ要求を受信したとき、所定時間遅延させた後に、メイン電源をオフに切り替える制御を行う請求項２６に記載のプラグインモジュールの電源制御方法。
【請求項３４】
前記制御するステップは、
前記プラグインモジュールの状態通知を受信するステップを備え、
前記状態通知を所定時間以上受信できないとき、前記プラグインモジュールが異常状態であると判断し、メイン電源を一旦オフに切り替え、その後再びオンに切り替える制御を行う請求項２６に記載のプラグインモジュールの電源制御方法。
【請求項３５】
映像を表示する表示装置と、前記表示装置に着脱可能で前記表示装置に映像データを送信するプラグインモジュールとからなる映像表示システムにおいて、前記表示装置から前記プラグインモジュールの電源供給を制御するプラグインモジュールの電源制御方法であって、
前記表示装置が前記プラグインモジュールを機器認証するステップと、
前記表示装置が前記プラグインモジュールと制御信号を送受信するステップと、
前記機器認証の成立後に、前記電源供給をスタンバイ電源からメイン電源に切り替える制御をするステップとを備えるプラグインモジュールの電源制御方法。
【手続補正３】
【補正対象書類名】図面
【補正対象項目名】全図
【補正方法】変更
【補正の内容】
【図１】
2009084080.tif 000014
【図２】
2009084080.tif 000015
【図３】
2009084080.tif 000016
【図４】
2009084080.tif 000017
【図５】
2009084080.tif 000018
【図６】
2009084080.tif 000019
【図７】
2009084080.tif 000020
【図８】
2009084080.tif 000021
【図９】
2009084080.tif 000022
【図１０】
2009084080.tif 000023
【図１１】
2009084080.tif 000024
【国際調査報告】
2009084080.tif 000025
2009084080.tif 000026
2009084080.tif 000027